(57)【要約】【課題】ハンドルを第１・第２・第３の位置に回転できると共に、第３の位置への回転を規制、許容するハンドル装置と、ハンドルを第１・第２の位置に回転できると共に、第２の位置への回転を規制、許容するハンドル装置に兼用できるハンドル装置とする。【解決手段】台座３ａにハンドル３ｂを第１・第２・第３の位置に回転可能に取付け、そのハンドル３ｂとともに回転する回転軸３３にストッパー５０を第１姿勢と第２姿勢とに取り付け換えできるように取付け、前記台座３ａにはストッパー受け６０を第１・第２ストップ位置に移動可能に取付け、前記ストッパー５０が第１姿勢のときにはストッパー受け６０を第１・第２ストップ位置に移動することでハンドル３ｂの第３の位置への回転を規制、許容でき、ストッパー５０が第２姿勢のときにはストッパー受け６０を第１・第２ストップ位置に移動することでハンドル３ｂの第２の位置への回転を規制、許容できるようにする。【選択図】図７
2010159556.tif 000002
【特許請求の範囲】
【請求項１】
台座と、この台座に、第１の位置、第２の位置、第３の位置に亘って回転可能に取付けたハンドルと、このハンドルの回転によって移動する作動部材と、前記ハンドルの回転を規制するストッパー機構を備え、
前記ストッパー機構は、前記ハンドルとともに回転する回転軸に第１姿勢と第２姿勢とに取り付け換え可能に取付けたストッパーと、第１ストップ位置と第２ストップ位置とに亘って移動自在に取付けたストッパー受けと、このストッパー受けを第１ストップ位置と第２ストップ位置とに亘って移動する移動手段を有し、
前記ストッパーが第１姿勢で、ストッパー受けが第１ストップ位置のときには、ハンドルを第１の位置と第２の位置とに亘って回転可能で、第３の位置への回転を規制し、
前記ストッパーが第１姿勢で、ストッパー受けが第２ストップ位置のときには、ハンドルを第１・第２・第３の位置に亘って回転可能とし、
前記ストッパーが第２姿勢で、ストッパー受けが第１ストップ位置のときには、ハンドルの第２の位置への回転を規制して第１の位置に保持し、
前記ストッパーが第２姿勢で、ストッパー受けが第２ストップ位置のときには、ハンドルは第１の位置と第２の位置とに亘って回転可能で、第３の位置への回転を規制するようにしたことを特徴とするハンドル装置。
【請求項２】
前記ストッパーはストッパー部を有し、前記ストッパー受けは、前記ストッパー部が当接してストッパーの回転を規制する第１ストッパー受部と第２ストッパー受部を有し、
前記ストッパーが第１姿勢で、ストッパー受けが第１ストップ位置のときには、ハンドルが第１の位置から第２の位置に回転するとストッパー部が第１ストッパー受部に当接し、
前記ストッパーが第１姿勢で、ストッパー受けが第２ストップ位置のときには、ハンドルが第２の位置から第３の位置に回転するとストッパー部が第２ストッパー受部に当接し、
前記ストッパーが第２姿勢で、ストッパー受けが第１ストップ位置の時には、ハンドルが第１の位置の時にストッパー部が第１ストッパー受部に当接し、
前記ストッパーが第２姿勢で、ストッパー受けが第２ストップ位置のときには、ハンドルが第１の位置から第２の位置に回転するとストッパー部が第２ストッパー受部に当接するようにした請求項１記載のハンドル装置。
【請求項３】
前記回転軸を断面が正方形の角軸とし、この角軸に嵌合する角穴をストッパーに形成した請求項２記載の建具のハンドル装置。
【請求項４】
前記移動手段は、ストッパー受けを第１ストップ位置と第２ストップ位置とに移動する作動部と、この作動部と別体で、かつ取付け、取外し可能な操作部を有し、
前記操作部を作動部に取付け、その操作部を手で持って作動部を作動できるようにした請求項１又は２記載のハンドル装置。
【請求項５】
枠体に開閉体を開閉可能に取付け、
この開閉体に、請求項１〜４いずれか１項に記載のハンドル装置を取付けた建具。
【発明の詳細な説明】
【技術分野】
【０００１】
本発明は、開き窓や多機能窓などの建具に用いるハンドル装置および当該ハンドル装置を備えた建具に関する。
【背景技術】
【０００２】
従来、開き窓としては、枠体に障子（開閉体）をヒンジなどで開閉自在に装着すると共に、錠を設け、その障子にハンドル装置を取付け、そのハンドル装置のハンドルを回転操作することで錠を施錠、解錠するようにした窓が知られている。
また、多機能窓としては、枠体に障子（開閉体）を内倒し、内開き可能に装着し、その障子に取付けたハンドル装置のハンドルを障子が閉じ状態である第１の位置から所定の角度だけ回転操作して第２の位置とすると障子が内倒し可能な状態となり、前記ハンドルを所定の角度よりもさらに回転操作して第３の位置とすると障子が内開き可能な状態となる窓が知られている。
【０００３】
前述の多機能窓に用いるハンドル装置としては、特許文献１に開示されたように、台座にハンドルを第１・第２・第３の位置に亘って回転自在に取付け、このハンドルを回転操作することで障子に設けた作動片が移動し、そのハンドルの回転操作角度で障子を閉じ状態、内倒し可能状態、内開き可能状態に切り換えできるようにし、前記ハンドルの軸に錠止片を設け、この錠止片を台座の係入受溝に係合する位置と離れた位置に移動するシリンダ錠を設け、前記錠止片が係入受溝と離れた位置であれば、ハンドルを第１・第２・第３の位置に自由に回転操作でき、前記錠止片が係入受溝に係合する位置であれば、ハンドルの回転操作角度を規制して第３の位置には回転操作できずに障子を内開き状態に切り換えできないようにする。
【０００４】
この従来のハンドル装置を用いた多機能窓であれば、錠止片を係入受溝に係合した状態とすることで、室内の人がハンドルを自由に第１・第２の位置に回転操作でき、障子を内倒して室内を換気できるが、ハンドルを第３の位置に回転操作できないから障子を内開きできない。
また、錠止片を係入受溝から離れた位置とすることで、ハンドルを第１・第２・第３の位置に自由に回転操作できるから、障子を内倒し、内開きできる。
したがって、病院などに用いることで、通常一般の人は障子を内倒しできるが、障子を内開きできないので安全上好ましく、管理者などの特定の人によれば障子を内開きして清掃できるようになる。
【特許文献１】特開平１１−２１７９５８号公報
【発明の開示】
【発明が解決しようとする課題】
【０００５】
前述した従来のハンドル装置は、ハンドルが、障子を閉じ状態とする第１の位置、障子を内倒し可能状態とする第２の位置、障子を内開き可能状態とする第３の位置に回転すると共に、シリンダ錠によりハンドルを第３の位置に回転しないようにするもので、ハンドルは常に第１の位置と第２の位置とには自由に回転操作できる。
一方、前述した開き窓に用いるハンドル装置は、そのハンドルが、障子を閉じ状態とする第１の位置と障子を開き可能状態とする第２の位置とに回転操作されるので、前述した多機能窓に用いるハンドル装置のように、障子を開放できないようにするハンドル装置とするには、ハンドルを第２の位置に回転操作できないようにしなければならない。
したがって、前述した多機能窓に用いるハンドル装置を開き窓のハンドル装置として利用できない。
【０００６】
要するに、ハンドルが第１・第２・第３の位置に亘って回転すると共に、そのハンドルを第３の位置への回転を規制、許容するハンドル装置を、ハンドルが第１・第２の位置に回転すると共に、そのハンドルを第２の位置への回転を規制、許容するハンドル装置として利用できない。
【０００７】
本発明の目的は、ハンドルが第１・第２・第３の位置に亘って回転すると共に、そのハンドルの第３の位置への回転を規制、許容するハンドル装置と、ハンドルが第１・第２の位置に亘って回転すると共に、そのハンドルの第２の位置への回転を規制、許容するハンドル装置とに兼用できるようにしたハンドル装置および建具とすることである。
【課題を解決するための手段】
【０００８】
本発明は、台座と、この台座に、第１の位置、第２の位置、第３の位置に亘って回転可能に取付けたハンドルと、このハンドルの回転によって移動する作動部材と、前記ハンドルの回転を規制するストッパー機構を備え、
前記ストッパー機構は、前記ハンドルとともに回転する回転軸に第１姿勢と第２姿勢とに取り付け換え可能に取付けたストッパーと、第１ストップ位置と第２ストップ位置とに亘って移動自在に取付けたストッパー受けと、このストッパー受けを第１ストップ位置と第２ストップ位置とに亘って移動する移動手段を有し、
前記ストッパーが第１姿勢で、ストッパー受けが第１ストップ位置のときには、ハンドルを第１の位置と第２の位置とに亘って回転可能で、第３の位置への回転を規制し、
前記ストッパーが第１姿勢で、ストッパー受けが第２ストップ位置のときには、ハンドルを第１・第２・第３の位置に亘って回転可能とし、
前記ストッパーが第２姿勢で、ストッパー受けが第１ストップ位置のときには、ハンドルの第２の位置への回転を規制して第１の位置に保持し、
前記ストッパーが第２姿勢で、ストッパー受けが第２ストップ位置のときには、ハンドルは第１の位置と第２の位置とに亘って回転可能で、第３の位置への回転を規制するようにしたことを特徴とするハンドル装置である。
【０００９】
本発明においては、前記ストッパーはストッパー部を有し、前記ストッパー受けは、前記ストッパー部が当接してストッパーの回転を規制する第１ストッパー受部と第２ストッパー受部を有し、
前記ストッパーが第１姿勢で、ストッパー受けが第１ストップ位置のときには、ハンドルが第１の位置から第２の位置に回転するとストッパー部が第１ストッパー受部に当接し、
前記ストッパーが第１姿勢で、ストッパー受けが第２ストップ位置のときには、ハンドルが第２の位置から第３の位置に回転するとストッパー部が第２ストッパー受部に当接し、
前記ストッパーが第２姿勢で、ストッパー受けが第１ストップ位置の時には、ハンドルが第１の位置の時にストッパー部が第１ストッパー受部に当接し、
前記ストッパーが第２姿勢で、ストッパー受けが第２ストップ位置のときには、ハンドルが第１の位置から第２の位置に回転するとストッパー部が第２ストッパー受部に当接するようにできる。
このようにすれば、ストッパーのストッパー部がストッパー受けの第１・第２ストッパー受部に当接することで、ハンドルの回転を確実に規制できる。
【００１０】
本発明においては、前記回転軸を断面が正方形の角軸とし、この角軸に嵌合する角穴をストッパーに形成することができる。
このようにすれば、回転軸が断面が正方形の角軸に角穴を嵌合することでストッパーを第１姿勢、第２姿勢に取付けできるから、そのストッパーの取り付け換えが容易にできる。
【００１１】
本発明においては、前記移動手段は、ストッパー受けを第１ストップ位置と第２ストップ位置とに移動する作動部と、この作動部と別体で、かつ取付け、取外し可能な操作部を有し、
前記操作部を作動部に取付け、その操作部を手で持って作動部を作動できるようにできる。
このようにすれば、操作部を取り外しておくことでストッパー受けを移動できないので、不特定の人がストッパー受けを第２ストップ位置に移動して開閉体を全開することを防止できる。
【００１２】
枠体に開閉体を開閉可能に取付け、
この開閉体に、請求項１〜４いずれか１項に記載の建具のハンドル装置を取付けた建具。
【発明の効果】
【００１３】
本発明によれば、ストッパーを第１姿勢とすれば、ストッパー受けを第１・第２ストップ位置に移動することで、ハンドルを第１・第２・第３の位置に回転すると共に、そのハンドルの第３の位置への回転を規制したり、許容するハンドル装置となる。
前記ストッパーを第２姿勢とすれば、ハンドルが第１・第２の位置に亘って回転すると共に、そのハンドルの第２の位置への回転を規制、許容するハンドル装置となる。
【００１４】
したがって、ストッパーを第１姿勢、第２姿勢に取り付け換えすることで、前述した２種類のハンドル装置に兼用できる。
【発明を実施するための最良の形態】
【００１５】
図１に示すように、枠体１に開閉体２を開閉可能に装着して建具としてある。この実施の形態では、開閉体２を内倒し、内開きできるように装着して多機能窓としてある。
前記枠体１は、上枠１０と下枠１１と左右の縦枠１２で方形状である。
前記開閉体２は、上框２０と下框２１と左右の縦框２２を方形状に連結し、その内部に面材２３が装着してある。
前記開閉体２にはハンドル装置３が取付けてある。例えば、縦框２２にハンドル装置３が取付けてある。
前記ハンドル装置３は、台座３ａとハンドル３ｂを備え、そのハンドル３ｂを回転操作することで縦框２２に設けた図示しない作動杆を移動し、開閉体２を閉じ状態で保持したり、開閉体２を内倒し可能状態、内開き可能状態にできるようにしてある。
【００１６】
例えば、図１（ａ）に示すように、ハンドル３ｂを下向き姿勢の第１の位置とすると開閉体２を閉じ状態で保持する。
図１（ｂ）に示すように、ハンドル３ｂを横向き姿勢の第２の位置とすると開閉体２が内倒し可能状態となる。
図１（ｃ）に示すように、ハンドル３ｂを上向き姿勢の第３の位置とすると開閉体２が内開き可能状態となる。
【００１７】
前記ハンドル装置３は図２〜図４に示すように、台座３ａに、ハンドル３ｂの回転操作により作動部材３０を往復移動する変換機構３ｃを設けてある。
この作動部材３０は基板３０ａと突片３０ｂを有し、その突片３０ｂが台座３ａの裏板３１に形成した長孔３２から外部に突出し、前記作動杆に連結される。
前記変換機構３ｃはハンドル３ｂに設けた回転軸３３と、この回転軸３３に取付けた歯車３４と、前記作動部材３０に設けたラック歯３５を供え、前記歯車３４がラック歯３５に噛合している。
そして、前記ハンドル３ｂによって回転軸３３を回転することで歯車３４が回転し、その歯車３４の回転で作動部材３０が直線移動して、ハンドル３ｂの回転を作動部材３０の直線移動に変換する変換機構３ｃとしてある。
【００１８】
具体的には、前記台座３ａは裏面に開口した凹陥部３６と、表面から凹陥部３６の底面に開口したハンドル支承孔３７と移動用孔３８を有し、前記作動部材３０の基板３０ａが凹陥部３６の底面に設けたガイド片３９に摺動自在に接し、台座３ａの裏面に前記裏板３１がビス４０で凹陥部３６を閉塞するように取付けてある。
前記ハンドル３ｂには軸挿入穴４１と、この軸挿入穴４１と同心状の円形突部４２を有し、この軸挿入穴４１に前記回転軸３３が嵌合して取付けてある。なお、回転軸３３とハンドル３ｂを一体としても良い。
そして、ハンドル３ｂの円形突部４２が前記台座３ａのハンドル支承孔３７に回転自在に挿入され、ハンドル３ｂは台座３ａに回転自在に支承される。
【００１９】
前記回転軸３３には、回転体４３が回転しないように取付けてある。
この回転体４３の円形外周面４３ａには凹部４４が周方向に９０度間隔で形成してある。
前記台座３ａの凹陥部３６の底面には、前記回転体４３の円形外周面４３ａに接する一対の弾性片４５が設けてある。
この一対の弾性片４５は、前記凹部４４に嵌合する突部４５ａを有する。
【００２０】
これにより、ハンドル３ｂを回転することで、回転体４３が回転し、その回転体４３が９０度回転するごとに弾性片４５の突部４５ａが凹部４４に嵌合する。
したがって、ハンドル３ｂを９０度回転するごとに操作者にクリック感を与えることができる。
【００２１】
前記台座３ａとハンドル３ｂとに亘って、そのハンドル３ｂの回転を規制するストッパー機構３ｄが設けてある。
このストッパー機構３ｄは、前記回転軸３３に取付けたストッパー５０と、前記台座３ｂに、第１ストップ位置と第２ストップ位置とに亘って移動自在に取付けたストッパー受け６０と、前記ストッパー受け６０を第１ストップ位置と第２ストップ位置に移動する移動手段７０を備えている。
【００２２】
前記ストッパー５０は、図４、図５に示すように、ストッパー部５０ａを有する。例えば円形基部５１の外周面の一部分に円弧状突部５２を有し、その円弧状突部５２の周方向の一端部５２ａがストッパー部５０ａである。
前記ストッパー５０は前記回転軸３３に、そのストッパー部５０ａの周方向の位置が異なる第１姿勢と第２姿勢に取り付け換えできるように取付けてある。
【００２３】
例えば、回転軸３３を正方形断面の角軸とし、円形基部５１に正方形の角孔５３を形成し、この角孔５３を回転軸３３に嵌合して取付けるようにすることで、ストッパー５０を回転軸３３に、ストッパー部５０ａの周方向の位置を９０度異なる第１姿勢と第２姿勢とで取り付け換えできるようにしてある。
このようにすれば、ストッパー５０を回転軸３３に第１姿勢と第２姿勢とに容易に取り付け換えできる。
【００２４】
前記ストッパー受け６０は幅狭い長尺な板形状で、その長手方向の両側寄りに一対の長孔６１が形成され、その各長孔６１からビス６２を台座３ａに螺合することによって台座３ａの凹陥部３６の底面に沿って前述の第１ストップ位置と第２ストップ位置とに亘って移動自在に取付けてある。
このストッパー受け６０は図３に示すように、前記作動片３０の基板３０ａと離隔している。
【００２５】
前記ストッパー受け６０は、図６に示すように、そのストッパー受け６０が第１ストップ位置のときに、前記ストッパー５０のストッパー部５０ａが当接してハンドル３ｂの第２の位置から第３の位置への回転を規制する第１ストッパー受部６０ａと、前記ストッパー受け６０が図７に示すように、第２ストップ位置のときに、前記ストッパー５０のストッパー部５０ａが当接してハンドル３ｂの回転を規制してハンドル３ｂを第３の位置にする第２ストッパー受部６０ｂを有する。
【００２６】
例えば、前記ストッパー受け６０は、図５に示すように、長手方向の中間部に幅方向一側に開口した凹部６３、この凹部６３の底面に形成した凹陥部６４を有し、その凹部６３の底面が第１ストッパー受部６０ａである。
前記凹陥部６４は、凹部６３の底面と連続した第１円弧状凹面６４ａ、この第１円弧状凹面６４ａと連続した段差面６４ｂ、この段差面６４ｂと前記凹部６３の底面を連続する第２円弧状凹面６４ｃを有し、その段差面６３ｂが第２ストッパー受部６０ｂである。
前記第１円弧状凹面６４ａに沿ってストッパー５０の円弧状突部５２が回転可能で、かつ第２円弧状凹面６４ｃに沿ってストッパー５０の円形基部５１が回転可能である。
【００２７】
前記ストッパー受け６０が第１ストップ位置の時にはハンドル３ｂを図５の第１の位置から第２の位置へ回転すると、ハンドル３ｂが図６の第２の位置まで回転した際にストッパー５０のストッパー部５０ａが凹部６３の底面（第１ストッパー受部６０ａ）に当接する。
前記ストッパー受け６０が第２ストップ位置の時には、ハンドル３ｂが図６の第２の位置において凹部６３の底面がストッパー部５０ａと離れるから、ストッパー５０は円弧状突部５２が第１円弧状凹面６４ａに沿って回転し、ハンドル３ｂが図７の第３の位置まで回転した際にストッパー部５０ａが段差面６４ｂ（第２ストッパー受部６０ｂ）に当接する。
【００２８】
前記移動手段７０は、ストッパー受け６０を第１ストップ位置と第２ストップ位置に移動する作動部７１と、この作動部７１とは別体で、かつ取付け、取り外し可能な操作部７２を有している。
前記操作部７２を作動部７１に取付け、その操作部７２を手で持って作動部７１を作動することでストッパー受け６０を第１ストッパー位置と第２ストッパー位置とに亘って移動することができる。
前記操作部７２を作動部７１から取外しすれば、作動部７１を作動することができず、ストッパー受け６０は第１ストップ位置又は第２ストップ位置に保持される。
したがって、不特定の人が開閉体２を全開（内開き）することを防止できる。
【００２９】
例えば、前記ストッパー受け６０の長手方向一端寄りに幅方向の長孔６５を形成する。
前記作動部７１をシリンダー錠の内周部材７３とし、その内周部材７３を台座３ａの移動用孔３８に挿入して、その移動用孔３８と内周部材７３でシリンダー錠とする。
前記内周部材７３の先端部に偏心ピン７４を設け、この偏心ピン７４を前記長孔６５内に挿入する。
前記操作部７２をシリンダー錠のキー７５とし、そのキー７５を内周部材７３のキー溝に挿入することで内周部材７３を回転できるようにする。
前記内周部材７３が回転すると、偏心ピン７４が偏心運動し、ストッパー受け６０を長手方向に移動する。
【００３０】
前記ストッパー５０は、図５に示すようにハンドル３ｂが第１の位置で、ストッパー受け６０が第１ストップ位置のときに、そのストッパー部５０ａが第１ストッパー受部６０ａと所定角度、例えば９０度離れた第１姿勢としてハンドル３ｂの回転軸３３に取付けてある。
このようであるから、ストッパー受け６０が第１ストップ位置のときに、ハンドル３ａを第１の位置と第２の位置とに亘って自由に回転操作できる。
したがって、開閉体２を閉じ状態から内倒し可能状態とすることができる。
【００３１】
前記ハンドル３ｂを第２の位置に回転操作すると、図６に示すように、ストッパー部５０ａが第１ストッパー受部６０ａに当接してハンドル３ｂの回転を規制し、第３の位置には回転できない。
したがって、ストッパー受け６０が第１ストップ位置のときに、開閉体２を内開き状態とすることができない。
【００３２】
前述の状態から、キー７５を用いて内周部材７３を回転することでストッパー受け６０を図７に示すように第２ストップ位置に移動すると、ストッパー５０は段差面６４ｂに当接するまで回転できる。つまり、ストッパー受け６０が第２ストップ位置のときには、ハンドル３ａを第１の位置から第３の位置に亘って自由に回転操作できる。
したがって、ストッパー受け６０が第２ストップ位置のときに、ハンドル３ｂを第２の位置から第３の位置まで回転操作して開閉体２を内開き可能状態とすることができる。
【００３３】
また、ストッパー受け６０はキー７５（操作部７２）を用いて第２ストップ位置に移動するので、不特定の人にはストッパー受け６０を第２ストップ位置に移動できないから、病院などの窓として用いたときに、不特定の人が開閉体２を全開（内開き）することを防止できる。
【００３４】
以上のようであるから、多機能窓（内倒し、内開き窓）に用いるハンドル装置として好ましい。
つまり、ハンドル３ｂが第１・第２・第３の位置に亘って回転すると共に、そのハンドル３ｂの第３の位置への回転を規制、許容するハンドル装置である。
【００３５】
本発明のハンドル装置３を開閉体２が開閉する開き窓に用いる場合には、図８に示すように、ストッパー５０をハンドル３ｂの回転軸３３に、ハンドル３ｂが第１の位置でストッパー受け６０が第１ストップ位置のときに、そのストッパー部５０ａがストッパー受け６０の第１ストッパー受部６０ａに当接する第２姿勢に取り付け換えすれば良い。
【００３６】
このようにすれば、ストッパー受け６０が第１ストップ位置のときに、ハンドル３ｂを第１の位置から第２の位置に向けて回転操作できないから、開閉体２を閉じ状態から開放できないようにできる。
【００３７】
また、開閉体２を開閉するときには、前述のようにキー７５を用いて内周部材７３を回転してストッパー受け６０を第２ストップ位置に移動し、ハンドル３ｂを第２の位置に回転操作できるようにする。
詳しく説明すると、キー７５を用いて内周部材７３を回転してストッパー受け６０を第２ストップ位置に移動すると、ストッパー５０は段差面６４ｂに当接するまで回転できる。つまり、ストッパー受け６０が第２ストップ位置のときには、ハンドル３ａを第１の位置から第２の位置に亘って自由に回転操作できる。
つまり、ストッパー５０を取り付け換えして第２姿勢とすることで、ハンドル３ｂが第１・第２の位置に亘って回転すると共に、そのハンドル３ｂの第２の位置への回転を規制、許容するハンドル装置とすることができる。
【００３８】
前述の実施の形態では、作動部７１をシリンダー錠の内周部材７３、操作部７２をキー７５としたが、操作部７１を偏心ピン７４を有した回転体、操作部７２を回転体の溝に嵌合するドライバー、コインなどとしても良い。
また、移動手段７０は回転するものに限ることはなく、台座３ａの長手方向に移動するスライダーと、そのスライダーを移動する工具などとしても良い。
【００３９】
また、回転軸３３を正方形断面の角軸とし、ストッパー５０に正方形の角孔５３を形成したがこれに限ることなく、角孔５３の形状は正方形断面の回転軸３３の四つ角と嵌合する部分を少なくとも有していればよく、４つ角間の部分は必ずしも回転軸３３と角孔５３とが嵌まり合う形状ではなくても良い。
さらに、回転軸３３にストッパー５０を第１姿勢、第２姿勢として取付けるには、角軸と角穴に限ることはなく、回転軸３３をピンや突起を有した円形軸とし、ストッパー５０の円形孔にピンや突起に嵌合する切欠溝や凹部を所定の角度だけ周方向にずらして形成し、いずれかの切欠溝、凹部をピン、突起に嵌合することで第１姿勢、第２姿勢として取付けるようにしても良い。
また、回転軸３３にスプライン、ストッパー５０にスプライン孔を形成しても良い。
【図面の簡単な説明】
【００４０】
【図１】本発明のハンドル装置を備えた多機能窓の斜視図である。
【図２】ハンドル装置の正面図である。
【図３】図２のＡ−Ａ拡大断面図である。
【図４】ハンドル装置の分解斜視図である。
【図５】図３のＢ−Ｂ断面図である。
【図６】ハンドルを第２の位置とした状態の説明図である。
【図７】ストッパー受けを第３ストップ位置に移動し、ハンドルを第３の位置とした状態の説明図である。
【図８】ストッパーを第２姿勢としたときの説明図である。
【符号の説明】
【００４１】
１…枠体、２…開閉体、３…ハンドル装置、３ａ…台座、３ｂ…ハンドル、３ｃ…変換機構、３ｄ…ストッパー機構、３０…作動部材、５０…ストッパー、５０ａ…ストッパー部、６０…ストッパー受け、６０ａ…第１ストッパー受部、６０ｂ…第２ストッパー受部、７０…移動手段、７１…作動部、７２…操作部、７３…内側部材、７４…偏心ピン、７５…キー。
【図１】
2010159556.tif 000003
【図２】
2010159556.tif 000004
【図３】
2010159556.tif 000005
【図４】
2010159556.tif 000006
【図５】
2010159556.tif 000007
【図６】
2010159556.tif 000008
【図７】
2010159556.tif 000009
【図８】
2010159556.tif 000010